(57)【要約】【課題】電気光学装置の交換作業を効率化したプロジェクタを提供することである。【解決手段】プロジェクタ１は、外装ケース２（上ケース２１、下ケース２３）と、光学像を形成する液晶パネル５４１と、画像情報が入力されるケーブル６０と、ケーブル６０の延びる方向に位置するケーブル６０と接続するコネクタ９５を有するメイン基板９０と、液晶パネル５４１の設置される方向と逆方向の上ケース２１と、上ケース２１に形成されケーブル６０をコネクタ９５から着脱するのに必要な開口領域を有する第１開口部２５５と、第１開口部２５５を覆い開閉自在のケーブル着脱用蓋３００と、ケーブル６０の延びる方向と逆方向の下ケース２３と、下ケース２３に形成され液晶パネル５４１を着脱するのに必要な開口領域を有する第２開口部２８５と、第２開口部２８５を覆い開閉自在の電気光学装置着脱用蓋４００と、を有する。【選択図】図７
2008089689.tif 000002
【特許請求の範囲】
【請求項１】
光源から射出される光束を、画像情報に応じて変調して光学像を形成し、形成された前記光学像を投射するプロジェクタであって、
前記プロジェクタの本体を収容する外装を構成する外装ケースと、
前記光学像を形成する電気光学装置と、
前記電気光学装置を構成し、前記光束が入射する方向に対して略垂直な一方向に延び、前記画像情報が入力されるケーブルと、
前記電気光学装置に対して、当該電気光学装置を構成する前記ケーブルの延びる方向に位置し、前記ケーブルと接続されて前記画像情報を出力するコネクト部を有する回路基板と、
前記回路基板に対して、前記電気光学装置の設置される方向と逆方向に位置し、前記外装ケースを構成する第１ケースと、
前記第１ケースに形成され、前記ケーブルを前記コネクト部から着脱するのに必要な開口領域を有する第１開口部と、
前記第１開口部を覆い、開閉自在に設置される第１蓋部材と、
前記電気光学装置に対して、当該電気光学装置を構成する前記ケーブルの延びる方向と逆方向に位置し、前記外装ケースを構成する第２ケースと、
前記第２ケースに形成され、前記電気光学装置を着脱するのに必要な開口領域を有する第２開口部と、
前記第２開口部を覆い、開閉自在に設置される第２蓋部材と、を有することを特徴とするプロジェクタ。
【請求項２】
請求項１に記載のプロジェクタであって、
赤色光、緑色光、青色光を各々変調し、前記光学像を形成する３つの前記電気光学装置と、
３つの前記電気光学装置を各々収容する電気光学装置収容部と、
３つの前記電気光学装置から射出された各色光を合成する色合成光学素子と、
前記電気光学装置収容部を保持して前記色合成光学素子に前記電気光学装置が所定の位置となるように固定する電気光学装置固定部と、
前記色合成光学素子を固定する色合成光学素子固定部と、を有し、
前記電気光学装置、前記電気光学装置収容部、前記電気光学装置固定部、前記色合成光学素子および前記色合成光学素子固定部を一体に構成されるユニットとして着脱することを特徴とするプロジェクタ。
【請求項３】
請求項２に記載のプロジェクタであって、
前記プロジェクタは、光学系を構成する光学素子を収容する光学素子用筐体を有し、
前記色合成光学素子固定部は、前記光学素子用筐体に固定されることを特徴とするプロジェクタ。
【請求項４】
請求項１〜請求項３のいずれか一項に記載のプロジェクタであって、
前記電気光学装置と前記第２ケースとの空間領域に、前記電気光学装置に入射する光束により発生する熱を冷却するための空気を送風するダクトが設置され、当該ダクトは、前記電気光学装置を着脱するのに必要な領域に対応する部分を着脱自在な分割ダクトとして分割して構成されていることを特徴とするプロジェクタ。
【請求項５】
請求項４に記載のプロジェクタであって、
着脱自在な前記分割ダクトは、前記第２蓋部材に固定されていることを特徴とするプロジェクタ。
【請求項６】
請求項５に記載のプロジェクタであって、
前記色合成光学素子固定部は、前記分割ダクトから送風される空気を前記電気光学装置に流通させるための送風用開口部を有していることを特徴とするプロジェクタ。
【発明の詳細な説明】
【技術分野】
【０００１】
本発明は、光源から射出される光束を、画像情報に応じて変調して光学像を形成し、形成された前記光学像を投射するプロジェクタに関するものである。
【背景技術】
【０００２】
近年、プロジェクタの低価格化が進んだことにより、プロジェクタの普及が加速して、会社、家庭、学校、遊戯場、飲食店など様々な場所でプロジェクタが使用されている。それにより、プロジェクタは、粉塵の多い場所、タバコなどの煙の多い場所、砂埃の多い場所など、様々な環境で使用されている。従って、そのような塵埃がプロジェクタの内部に備える電気光学装置に付着して、投射映像に埃などの影が投射されたり、コントラストが低下したりするなどにより、投射映像の品質が低下してしまっている。また、電気光学装置に塵埃が付着したままプロジェクタを使用することにより、電気光学装置で発生する熱も冷却しづらくなり、電気光学装置の寿命品質も低下してしまう。
上述した原因や、正常な状態で使用していても電気光学装置の品質が低下した場合には、電気光学装置をプロジェクタから取外して、新しい電気光学装置と交換することが必要となる。
【０００３】
特許文献１には、液晶パネル（電気光学装置）にキャビネット（上ケース）を外す手間を省く液晶プロジェクタの構成が提示されている。詳細には、光の３原色Ｒ，Ｇ，Ｂに対応した液晶パネルと、液晶パネルの回転位置を調整する調整部材を備えた調整機構と、液晶パネルの出射光を合成するプリズム体とを内部に備え、キャビネットの天面で、プリズム体および液晶パネルの上方に、調整機構への調整治具が挿入可能な開口が開設され、その開口を覆う蓋体が着脱自在に取付けられるプロジェクタのキャビネットが提示されている。
【０００４】
【特許文献１】特開平１１−４６０７７号公報
【発明の開示】
【発明が解決しようとする課題】
【０００５】
上記、特許文献１の構成をプロジェクタに採用した場合、蓋体を取外して開口から調整治具を挿入し、調整機構を調整することで、液晶パネルの回転位置を調整することは可能であるが、電気光学装置を交換することまでには言及されていない。
【０００６】
また、現状のプロジェクタの構成において、電気光学装置を交換するには、最初にプロジェクタの外装を構成する上ケースを取外し、次に回路基板を取外し、次に電気光学装置が収容される光学素子用枠体を外装から取外す。そして、最後に光学素子用枠体の上ケースを取外すことにより、電気光学装置を取外すことができ、新しい電気光学装置に交換することが可能となる。また、交換した場合には、上述したのと逆の作業を行なうことにより、プロジェクタを完成させる必要がある。このように、電気光学装置を取外して交換するためには、プロジェクタ全体を分解して、再度、組立てるような大変な作業を必要としていた。従って、電気光学装置の交換作業は、大変非効率であった。
【０００７】
本発明は、上述した課題に鑑みてなされたものであり、電気光学装置の交換作業を効率化したプロジェクタを提供することである。
【課題を解決するための手段】
【０００８】
上述した目的を達成するために、本発明のプロジェクタは、光源から射出される光束を、画像情報に応じて変調して光学像を形成し、形成された光学像を投射するプロジェクタであって、プロジェクタの本体を収容する外装を構成する外装ケースと、光学像を形成する電気光学装置と、電気光学装置を構成し光束が入射する方向に対して略垂直な一方向に延び画像情報が入力されるケーブルと、電気光学装置に対して電気光学装置を構成するケーブルの延びる方向に位置しケーブルと接続されて画像情報を出力するコネクト部を有する回路基板と、回路基板に対して電気光学装置の設置される方向と逆方向に位置し外装ケースを構成する第１ケースと、第１ケースに形成されケーブルをコネクト部から着脱するのに必要な開口領域を有する第１開口部と、第１開口部を覆い開閉自在に設置される第１蓋部材と、電気光学装置に対して電気光学装置を構成するケーブルの延びる方向と逆方向に位置し外装ケースを構成する第２ケースと、第２ケースに形成され電気光学装置を着脱するのに必要な開口領域を有する第２開口部と、第２開口部を覆い開閉自在に設置される第２蓋部材と、を有することを特徴とする。
【０００９】
このようなプロジェクタによれば、電気光学装置を取外す場合には、最初に、外装ケースを構成する第１ケースの第１開口部を覆う第１蓋部材を開く、次に、第１開口部から指または治具など挿入し、回路基板の有するコネクト部からケーブルを取外す。次に、外装ケースを構成する第２ケースの第２開口部を覆う第２蓋部材を開く、次に、第２開口部から指または治具など挿入し、電気光学装置を取外す。以上により、電気光学装置を取外すことが可能となる。また、新しい電気光学装置に交換する場合には、新しい電気光学装置を前述したのと逆の動作により組立てることで交換でき作業が完了する。従って、従来のようにプロジェクタ全体を分解して、再度、組立てるような大変な作業を必要とせず、簡単な作業により、容易に電気光学装置を交換できる。従って、電気光学装置の交換作業を効率化したプロジェクタが実現できる。
【００１０】
また、上述したプロジェクタにおいて、赤色光、緑色光、青色光を各々変調し、光学像を形成する３つの電気光学装置と、３つの電気光学装置を各々収容する電気光学装置収容部と、３つの電気光学装置から射出された各色光を合成する色合成光学素子と、電気光学装置収容部を保持して色合成光学素子に電気光学装置が所定の位置となるように固定する電気光学装置固定部と、色合成光学素子を固定する色合成光学素子固定部と、を有し、電気光学装置、電気光学装置収容部、電気光学装置固定部、色合成光学素子および色合成光学素子固定部を一体に構成されたユニットとして着脱することが望ましい。
【００１１】
このようなプロジェクタによれば、赤色光、緑色光、青色光を各々変調して光学像を形成する３つの電気光学装置を用いる場合には、電気光学装置と、電気光学装置を各々収容する電気光学装置収容部と、各色光を合成する色合成光学素子と、電気光学装置収容部を保持して色合成光学素子に電気光学装置が所定の位置となるように固定する電気光学装置固定部と、色合成光学素子を固定する色合成光学素子固定部とを一体に構成されたユニットとして着脱する。
【００１２】
これにより、いわゆる３板方式のプロジェクタに対して、電気光学装置を含め、電気光学装置の位置調整（光学調整）も行なわれた一体に構成されたユニットとして交換することができる。従って、簡単な作業により、容易に電気光学装置を交換でき、電気光学装置の交換作業を効率化したプロジェクタが実現できるだけでなく、光学調整されたプロジェクタとして実現できる。
【００１３】
また、上述したプロジェクタにおいて、プロジェクタは、光学系を構成する光学素子を収容する光学素子用筐体を有し、色合成光学素子固定部は、光学素子用筐体に固定されることが望ましい。
【００１４】
このようなプロジェクタによれば、上述した一体に構成されたユニットを構成する光学素子以外の他の光学素子との素子位置関係を保持する構成とすることができる。従って、画像品質を低下させないプロジェクタを実現できる。また、色合成光学素子固定部を固定するための他の部材を、プロジェクタの内部に形成する必要がないため、プロジェクタの小型化が図れる。
【００１５】
また、上述したプロジェクタにおいて、電気光学装置と第２ケースとの空間領域に、電気光学装置に入射する光束により発生する熱を冷却するための空気を送風するダクトが設置され、ダクトは、電気光学装置を着脱するのに必要な領域に対応する部分を着脱自在な分割ダクトとして分割して構成されていることが望ましい。
【００１６】
電気光学装置は、入射する光束により熱を発生する。その熱を放熱させて、電気光学装置を冷却させる必要があり、そのために、電気光学装置と第２ケースとの空間領域に、冷却するための空気を送風するダクトが設置されている場合が多い。そのような構造をとる場合には、電気光学装置を着脱するのに必要な領域に対応する部分を着脱自在な分割ダクトとして、ダクトを分割する。そして、第２蓋部材を開いた後に、この分割ダクトを第２開口部を介してダクトと分離することで、分割ダクトを取外すことができる。その後、電気光学装置の取外しが行なえることになる。従って、ダクトが電気光学装置と第２ケースとの空間領域に設置されていても、分割ダクトとして分割することにより、電気光学装置の取外しに際してはなんら問題とはならない。なお、分割ダクトは、電気光学装置を交換した後には組立てられ、ダクトから送風される空気に対して、送風の動作を行なうことができる。
【００１７】
また、上述したプロジェクタにおいて、着脱自在な分割ダクトは、第２蓋部材に固定されていることが望ましい。
【００１８】
このようなプロジェクタによれば、分割ダクトが第２蓋部材に固定されることにより、電気光学装置の交換の際、第２蓋部材を開くことにより、同時に分割ダクトもダクトから取外すことが可能となる。これにより、第２蓋部材を開いた後に、分割ダクトを取外すという作業（または、これと逆の作業）を省くことができるため、電気光学装置の交換作業を効率化したプロジェクタが実現できる。
【００１９】
また、上述したプロジェクタにおいて、色合成光学素子固定部は、分割ダクトから送風される空気を電気光学装置に流通させるための送風用開口部を有していることが望ましい。
【００２０】
このようなプロジェクタによれば、色合成光学素子固定部は、分割ダクトから送風される空気を電気光学装置に流通させるための送風用開口部を有するため、分割ダクトから送風される空気を遮ることなく電気光学装置に流通させることができる。従って、電気光学装置の冷却が安定して行なわれ、電気光学装置の光学特性を維持することができる。
【発明を実施するための最良の形態】
【００２１】
以下、本発明の実施形態を図面に基づいて説明する。
（実施形態）
【００２２】
図１は、本発明の実施形態に係るプロジェクタの上面側から見た概略斜視図である。図２は、プロジェクタの下面側から見た概略斜視図である。
図１、図２を参照して、プロジェクタ１の全体構成を説明する。
【００２３】
プロジェクタ１は、光源としての光源ランプから出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色光の変調光束を色合成光学系（プリズム）により合成して、投射レンズ３を介して投射面上（例えばスクリーン）に拡大表示する形式のものである。投射レンズ３の一部を除いて、各構成部品はプロジェクタ１の外装を構成する外装ケース２の内部に収容されている。
【００２４】
図１、図２を参照して、外装ケース２の構造を説明する。
外装ケース２は、プロジェクタ１の上面を覆う上ケース２１と、前面を覆う前面ケース２２と、底面、側面および背面を覆う下ケース２３とから構成される。また、外装ケース２は、合成樹脂製である。なお、本実施形態では、上ケース２１が第１ケースを構成し、下ケース２３が第２ケースを構成している。
【００２５】
図１に示すように、上ケース２１の上面において、その後方側（投射レンズ３と逆側）の中央には、プロジェクタ１の画質などを調整するための操作パネル２１１が設けられている。また、上ケース２１の上面の前方側（投射レンズ３側）には、投射レンズ３を中心として左右の部位に、投射レンズ３の左右位置および上下位置を調整する投射レンズ位置調整部３０を構成する２つのダイヤル３１，３２が露出して設置されている。そして、一方のダイヤル３１を回動することにより、投射レンズ３を上下に移動させることができる。また、他方のダイヤル３２を回動することにより、投射レンズ３を左右に移動させることができる。
【００２６】
そして、上ケース２１の上面において、投射レンズ位置調整部３０の後方側で、操作パネル２１１との間には、本発明を構成する第１蓋部材としてのケーブル着脱用蓋３００が略矩形状に設置されている。ケーブル着脱用蓋３００のコーナ部４ヶ所は、固定用ネジ６１０により上ケース２１に固定されている。取外す場合には、固定用ネジ６１０を取り、凹部３０１に指などを掛けて引くことで行なえる。なお、ケーブル着脱用蓋３００を開閉して、内部のケーブルとコネクト部を構成するコネクタとを着脱することができる。ケーブル着脱用蓋３００に関しての詳細は後述する。
【００２７】
前面ケース２２には、変調された光束を拡大投射する投射レンズ３が前面ケース２２に向かって右側に取付けられている。さらに、前面ケース２２の中央には、リモートコントローラ（図示省略）からの信号を受信するリモコン受光部２２１が設けられている。前面ケース２２に向かって左側には、プロジェクタ１の内部の温まった空気をプロジェクタ１の外部に排気するための排気用ダクト７４が設けられている。
【００２８】
図２に示すように、下ケース２３の底面の後方側（投射レンズ３と逆側）には、プロジェクタ１の内部を冷却するための空気をプロジェクタ１の外部から取り入れるための空気取入口２３１が設けられている。空気取入口２３１は、樹脂製のフィルタ交換用蓋２３２に設けられており、このフィルタ交換用蓋２３２を着脱することで、内部のフィルタ（図示省略）を交換することが可能となる。また、フィルタ交換用蓋２３２の右側には、光源装置の交換時に開放される光源装置交換用蓋２３３が設けられている。光源装置交換用蓋２３３を着脱することで、内部の光源装置（図示省略）を交換することが可能となる。
【００２９】
そして、下ケース２３の底面の左側には、本発明を構成する第２蓋部材としての電気光学装置着脱用蓋４００が略矩形状に設置されている。電気光学装置着脱用蓋４００のコーナ部４ヶ所は、固定用ネジ６２０により下ケース２３に固定されている。取外す場合には、固定用ネジ６２０を取り、凹部４０１に指などを掛けて引くことで行なえる。なお、電気光学装置着脱用蓋４００を開閉して、内部の電気光学装置を着脱することができる。電気光学装置着脱用蓋４００に関しての詳細は後述する。
【００３０】
下ケース２３の底面には、３ヶ所の脚部２３４が設けられ、前方側端部となる左右の角部に調整脚部２３４Ｒ，２３４Ｌが設けられ、後方側端部の略中央部に固定脚部２３４Ｃが設けられている。なお、調整脚部２３４Ｒ，２３４Ｌの上下の進退量を調整することによって、表示画面の傾きを変更することが可能となる。
【００３１】
下ケース２３の背面には、外部電力供給用のＡＣインレット２４や各種の入出力端子群２５が配置されている。ＡＣインレット２４の横には、主電源のＯＮ／ＯＦＦ動作を行なう主電源スイッチ２６が配置されている。そして、この下ケース２３の背面にも、前面ケース２２と同様にリモコン受光部２２１が設けられている。
【００３２】
図３は、プロジェクタの内部構造を示す斜視図である。詳細には、図１に示す状態から上ケース２１や前面ケース２２などを取外した状態を示している。
図３を参照して、プロジェクタ１の内部構造を説明する。
【００３３】
図３に示すように、外装ケース２の内部には、プロジェクタ１の装置本体が収容されている。そして、内部の左右方向に延び、一方の端部が前方に延びる平面略Ｌ字状の光学ユニット５０と、光学ユニット５０の上方に設置される制御基板（図示省略）と、下ケース２３の左側の内側に沿って背面側から前面側に渡って設置される電源ユニット４０とを備えている。また、光学ユニット５０の背面側および前面側で下ケース２３の内側に沿って設置される複数の冷却ユニット７０を備えている。
【００３４】
冷却ユニット７０は、吸気用ファン７１、排気用ファン７２、流通用ダクト７３、排気用ダクト７４などを備えている。そして、吸気用ファン７１が駆動することにより、冷却のための空気を、空気取入口２３１を介して、プロジェクタ１の外部から取り入れる（吸気する）。そして、吸気した空気は、流通用ダクト７３の中を流通して送風され、光学ユニット５０や電源ユニット４０に吐出される。吐出された空気により、光学ユニット５０や電源ユニット４０で発熱した熱が放熱される。放熱されて温まった空気は、排気用ファン７２の駆動により、排気用ダクト７４からプロジェクタ１の外部に排気される。このような循環動作により、冷却ユニット７０は、発熱する光学ユニット５０や電源ユニット４０を冷却する。なお、流通用ダクト７３は、様々に屈曲させて形成されて、冷却する部品の近辺に空気を流通している。
【００３５】
図３を参照して、電源ユニット４０の構成および動作を説明する。
電源ユニット４０は、光源装置５１１および制御基板などに電力を供給するものであり、図３に示すように、電源回路を備えた電源ブロック４１と、ランプ駆動ブロック４２とを備えている。
【００３６】
電源ブロック４１は、ＡＣインレット２４に接続された電源ケーブル（図示省略）を通して外部から供給された電力を、光源装置５１１を駆動するランプ駆動ブロック４２および制御基板などに供給する。電源ブロック４１は、入力される交流を低電圧の直流に変換するトランスや、このトランスからの出力を所定の電圧に変換する変換回路などが実装された回路基板などを備える。
【００３７】
ランプ駆動ブロック４２は、光源装置５１１に安定した電圧で電力を供給するための変換回路などが実装された回路基板を備え、電源ブロック４１から入力した商用交流電流は、このランプ駆動ブロック４２によって整流、変換されて、直流電流や交流矩形波電流となって光源装置５１１に供給される。
【００３８】
制御基板の構成と動作を説明する。
制御基板は、光学ユニット５０の上方に配置される回路基板としてのメイン基板９０（図７参照）と、このメイン基板９０と光源装置５１１が位置する光学ユニット５０との間に配置されるサブ基板（図示省略）とを備えている。
【００３９】
メイン基板９０は、ＣＰＵ（Central Processing Unit）などの演算処理装置が実装された回路基板として構成され、プロジェクタ１全体を制御する。このメイン基板９０は、インターフェース基板（図示省略）から出力される信号に基づいて、後述する電気光学装置を構成する各液晶パネル５４１Ｒ，５４１Ｇ，５４１Ｂ（図４を参照）を駆動制御する。そして、各液晶パネル５４１Ｒ，５４１Ｇ，５４１Ｂは、光変調を実施して光学像を形成する。液晶パネル５４１を駆動制御する際、液晶パネル５４１に接続されるケーブル６０を介して信号の伝達を行なう。また、ケーブル６０は、メイン基板９０に実装されるコネクト部を構成するコネクタ９５と脱着可能に接続される。
【００４０】
また、メイン基板９０は、操作パネル２１１やリモコン受光部２２１から入力された操作信号を入力し、この操作信号に基づいてプロジェクタ１の構成部に適宜、制御指令を出力する。インターフェース基板は、入出力端子群２５からの入出力信号を処理する回路基板である。
【００４１】
サブ基板は、冷却ユニット７０を構成する吸気用ファン７１や排気用ファン７２を駆動するためのファン駆動回路が実装された基板であり、メイン基板９０と電気的に接続され、メイン基板９０から出力される制御信号を入力することで、吸気用ファン７１や排気用ファン７２を駆動させる。
【００４２】
図４は、光学ユニットの光学系を模式的に示す図である。
図３、図４を参照して、光学ユニット５０の構成を説明する。
光学ユニット５０は、光源装置５１１から射出された光束を画像情報に応じて変調して光学像を形成し、投射レンズ３を介してスクリーン上に投射画像を形成するものである。この光学ユニット５０の光学系５は、図４に示すように、インテグレータ照明光学系５１と、色分離光学系５２と、リレー光学系５３と、電気光学装置と、色合成光学系とから構成される。また、電気光学装置と色合成光学系とは一体に構成されユニット化した光学装置１００として構成されている。
【００４３】
光学ユニット５０は、前記光学系５１，５２，５３を構成する各光学素子などを収容して固定する光学素子用筐体５５を備えている。詳細には、光学素子用筐体５５は、上収容枠体５５Ａと、下収容枠体５５Ｂとで構成される。そして、下収容枠体５５Ｂには、光源装置５１１、光学系５１，５２，５３を構成する各光学素子および投射レンズ３を固定する後述するヘッド体５８を案内して収容している。
【００４４】
そして、上収容枠体５５Ａは、下収容枠体５５Ｂの上方から、下収容枠体５５Ｂに収容する光学素子を狭持するように載置し、固定用ネジ（図示省略）により下収容枠体５５Ｂに固定される。この構成により、各光学素子は、光学素子用筐体５５に収容され固定されることで光学ユニット５０が完成する。なお、光学素子用筐体５５は、下ケース２３の内面側に固定用ネジ（図示省略）により固定される。
【００４５】
なお、光学装置１００は、後述する色合成光学素子固定部としてのプリズム固定板１３０により、光学素子用筐体５５の下収容枠体５５Ｂに固定用ネジ６００（図７参照）により固定される。
【００４６】
ヘッド体５８は、側面略Ｌ字状で、マグネシウム合金の一体成形品で形成されている。このヘッド体５８に、投射レンズ３が収容されて固定される。また、ヘッド体５８は、投射レンズ３の外周部に、前述した投射レンズ３の上下位置および左右位置を調整する投射レンズ位置調整部３０（ダイヤル３１，３２を含む）を構成する機構部品を収容して固定している。
【００４７】
図４を参照して、光学系５の構成と動作を説明する。
図４に示すように、インテグレータ照明光学系５１は、光源から射出された光束を照明光軸Ｌに直交する面内における輝度分布を均一にするための光学系である。このインテグレータ照明光学系５１は、光源装置５１１、第１レンズアレイ５１２、第２レンズアレイ５１３、偏光変換素子５１４、および重畳レンズ５１５を備えて構成される。
【００４８】
光源装置５１１は、放射光源としての光源ランプ５１１Ａ、リフレクタ５１１Ｂ、リフレクタ５１１Ｂの光束射出面を覆う防爆ガラス５１１Ｃ、および、光源ランプ５１１Ａとリフレクタ５１１Ｂと防爆ガラス５１１Ｃとを収容して固定する光源用筐体５１１Ｄを備えて構成されている。そして、光源ランプ５１１Ａから射出された放射状の光束は、リフレクタ５１１Ｂで反射されて略平行光束とされ、外部へと射出される。本実施形態では、光源ランプ５１１Ａとして、高圧水銀ランプを採用し、リフレクタ５１１Ｂとして、放物面鏡を採用している。なお、光源ランプ５１１Ａとしては、高圧水銀ランプに限らず、例えばメタルハライドランプやハロゲンランプ等を採用してもよい。また、リフレクタ５１１Ｂとして放物面鏡を採用しているが、これに限らず、楕円面鏡からなるリフレクタの射出面に平行化凹レンズを配置した構成を採用してもよい。
【００４９】
第１レンズアレイ５１２は、照明光軸Ｌ方向から見て略矩形状の輪郭を有する小レンズがマトリクス状に配列された構成を有している。各小レンズは、光源ランプ５１１Ａから射出された光束を部分光束に分割し、照明光軸方向に射出する。
第２レンズアレイ５１３は、第１レンズアレイ５１２と略同様の構成であり、小レンズがマトリクス状に配列された構成を有する。この第２レンズアレイ５１３は、重畳レンズ５１５とともに、第１レンズアレイ５１２の各小レンズの像を光学装置１００の後述する電気光学装置（液晶パネル５４１）上に結像させる機能を有する。
【００５０】
偏光変換素子５１４は、第２レンズアレイ５１３からの光を略１種類の偏光光に変換するものであり、これにより、光学装置１００での光の利用効率が高められている。偏光変換素子５１４によって略１種類の偏光光に変換された各部分光束は、重畳レンズ５１５によって最終的に光学装置１００の後述する液晶パネル５４１上に略重畳される。
【００５１】
色分離光学系５２は、２枚のダイクロイックミラー５２１，５２２と、反射ミラー５２３とを備える。インテグレータ照明光学系５１から射出された複数の部分光束は、２枚のダイクロイックミラー５２１，５２２により赤（Ｒ）、緑（Ｇ）、青（Ｂ）の３色の色光に分離される。
【００５２】
リレー光学系５３は、入射側レンズ５３１と、リレーレンズ５３３と、反射ミラー５３２，５３５とを備えている。このリレー光学系５３は、色分離光学系５２で分離された色光である青色光を光学装置１００の後述する青色光用の液晶パネル５４１まで導く機能を有している。
【００５３】
この際、色分離光学系５２のダイクロイックミラー５２１では、インテグレータ照明光学系５１から射出された光束のうち、緑色光成分と青色光成分とは透過し、赤色光成分は反射する。ダイクロイックミラー５２１によって反射した赤色光は、反射ミラー５２３で反射し、平行化レンズ５１９を通って、赤色光用の液晶パネル５４１に到達する。この平行化レンズ５１９は、第２レンズアレイ５１３から射出された各部分光束を照明光軸Ｌに対して平行な光束に変換する。青色光および緑色光用の液晶パネル５４１の光入射側に設けられた平行化レンズ５１９も同様である。
【００５４】
ダイクロイックミラー５２１を透過した青色光と緑色光のうち、緑色光は、ダイクロイックミラー５２２によって反射し、平行化レンズ５１９を通って、緑色光用の液晶パネル５４１に到達する。一方、青色光は、ダイクロイックミラー５２２を透過してリレー光学系５３を通り、さらに平行化レンズ５１９を通って、青色光用の液晶パネル５４１に到達する。なお、青色光にリレー光学系５３が用いられているのは、青色光の光路の長さが他の色光の光路長さよりも長いため、光の発散等による光の利用効率の低下を防止するためである。すなわち、入射側レンズ５３１に入射した部分光束をそのまま、平行化レンズ５１９に伝えるためである。なお、リレー光学系５３には、３つの色光の中で、青色光を通す構成としたが、これに限らず、例えば、赤色光を通す構成としてもよい。
【００５５】
光学装置１００は、入射された光束を画像情報に応じて変調してカラー画像を形成する。この光学装置１００は、色分離光学系５２で分離された各色光が入射される光学素子としての３つの入射側偏光板５４２（赤色光用をＲ光用入射側偏光板５４２Ｒ、緑色光用をＧ光用入射側偏光板５４２Ｇ、青色光用をＢ光用入射側偏光板５４２Ｂとする）を備える。また、各入射側偏光板５４２の後段に設置される電気光学装置を構成する３つの液晶パネル５４１（赤色光用をＲ光用液晶パネル５４１Ｒ、緑色光用をＧ光用液晶パネル５４１Ｇ、青色光用をＢ光用液晶パネル５４１Ｂとする）を備える。また、各液晶パネル５４１の後段に設置される３つの射出側偏光板５４３（赤色光用をＲ光用射出側偏光板５４３Ｒ、緑色光用をＧ光用射出側偏光板５４３Ｇ、青色光用をＢ光用射出側偏光板５４３Ｂとする）と色合成光学系を構成する１つのクロスダイクロイックプリズム５４５とを備える。
【００５６】
なお、本実施形態での光学装置１００において、３つの入射側偏光板５４２Ｒ，５４２Ｇ，５４２Ｂは、光学装置１００として一体に構成されてはおらず、リレー光学系５３の後段で、光学素子用筐体５５に収容され固定される。
【００５７】
液晶パネル５４１（５４１Ｒ，５４１Ｇ，５４１Ｂ）は、例えば、ポリシリコンＴＦＴ（Thin Film Transistor）をスイッチング素子として用いたものであり、対向配置される一対の透明基板内に液晶が密封封入されている。そして、この液晶パネル５４１は、入射側偏光板５４２を介して入射する光束を画像情報に応じて変調して射出する。また、スイッチング素子に画像情報を伝達するケーブル６０（図５参照）が各液晶パネル５４１Ｒ，５４１Ｇ，５４１Ｂに接続されて固定されている。電気光学装置は、液晶パネル５４１とケーブル６０とを有して構成されている。
【００５８】
なお、ケーブル６０は、液晶パネル５４１に光束が入射する方向に対して略垂直な一方向に延びている。また、液晶パネル５４１は矩形状をなしており、ケーブル６０は、その一辺に接続されている。
【００５９】
入射側偏光板５４２は、色分離光学系５２で分離された各色光のうち、一定方向の偏光光のみ透過させ、その他の光束を吸収するものである。また、射出側偏光板５４３も、入射側偏光板５４２と略同様に構成され、液晶パネル５４１から射出された光束のうち、所定方向の偏光光のみ透過させ、その他の光束を吸収するものである。また、射出側偏光板５４３が透過させる偏光光の偏光軸は、入射側偏光板５４２で透過させる偏光光の偏光軸に対して直交するように設定されている。
【００６０】
色合成光学素子としてのクロスダイクロイックプリズム５４５は、射出側偏光板５４３から射出される色光毎に変調された光学像を合成してカラー画像を形成するものである。このクロスダイクロイックプリズム５４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。クロスダイクロイックプリズム５４５によって合成された色光は、投射レンズ３の方向に射出される。そして、クロスダイクロイックプリズム５４５から射出された映像光はカラー画像として、投射レンズ３により拡大され、スクリーンに投射される。
【００６１】
上述した液晶パネル５４１（５４１Ｒ，５４１Ｇ，５４１Ｂ）および射出側偏光板５４３（５４３Ｒ，５４３Ｇ，５４３Ｂ）は、後述する電気光学装置固定部としての液晶パネル固定枠１２０を介在してクロスダイクロイックプリズム５４５に固定されて光学装置１００を構成する。その光学装置１００は、後述する色合成光学素子固定部としてのプリズム固定板１３０により、光学素子用筐体５５の下収容枠体５５Ｂに固定用ネジ６００（図７参照）により固定される構造となる。
【００６２】
図５は、光学装置の概略斜視図である。図６は、光学装置の概略組立図である。
なお、本実施形態の場合、光学装置１００を構成するクロスダイクロイックプリズム５４５の３方の側面部には、３つの液晶パネル５４１（５４１Ｒ，５４１Ｇ，５４１Ｂ）が固定されるのであるが、図６においては、説明をわかり易くするために、Ｒ光用液晶パネル５４１Ｒのみを図示している。
図５、図６を参照して、光学装置１００の構成を説明する。
【００６３】
図５、図６に示すように、光学装置１００は、色合成光学素子固定部としてのプリズム固定板１３０をベースとして、プリズム固定板１３０の所定の位置に、色合成光学素子としてのクロスダイクロイックプリズム５４５を固定する。そして、クロスダイクロイックプリズム５４５の３方の側面部５４５Ｒ，５４５Ｇ，５４５Ｂに、電気光学装置固定部としての液晶パネル固定枠１２０を基準に固定される電気光学装置を構成する液晶パネル５４１（５４１Ｒ，５４１Ｇ，５４１Ｂ）が各々所定の位置に調整されて固定される構造となっている。
【００６４】
光学装置１００の光学素子としての構成は、本実施形態の場合、液晶パネル５４１（５４１Ｒ，５４１Ｇ，５４１Ｂ）と、射出側偏光板５４３（５４３Ｒ，５４３Ｇ，５４３Ｂ）と、クロスダイクロイックプリズム５４５とで構成されている。
【００６５】
図６を参照して、概略の光学装置１００の構成を説明する。
電気光学装置を構成する液晶パネル５４１（５４１Ｒ）は、電気光学装置収容部としての液晶パネル収容枠１１０に収容される。そして、液晶パネル収容枠１１０は、電気光学装置固定部としての液晶パネル固定枠１２０により、クロスダイクロイックプリズム５４５の側面部５４５Ｒに液晶パネル５４１（５４１Ｒ）に対する光学調整を行い固定される。また、液晶パネル固定枠１２０には、射出側偏光板５４３（５４３Ｒ）も固定される。
【００６６】
この構成は、Ｇ光用液晶パネル５４１Ｇ、Ｂ光用液晶パネル５４１Ｂに対しても液晶パネル５４１Ｒと同様に構成されて、クロスダイクロイックプリズム５４５の側面部５４５Ｇ，５４５Ｂに各々、液晶パネル５４１Ｇ，５４１Ｂに対する光学調整を行い固定される。Ｇ光用射出側偏光板５４３Ｇ、Ｂ光用射出側偏光板５４３Ｂも同様に固定される。
【００６７】
図６を参照して、光学装置１００の詳細な構成と組立方法を説明する。
なお、液晶パネル５４１をクロスダイクロイックプリズム５４５に固定する説明に関しては、Ｒ光用液晶パネル５４１Ｒを用いて説明を行なうが、Ｇ光用液晶パネル５４１Ｇ、Ｂ光用液晶パネル５４１Ｂも同様となる。
【００６８】
液晶パネル収容枠１１０は、収容枠本体１１１と押え板１１７とで構成されている。収容枠本体１１１は、平面矩形状で箱状に形成され、一段突出した部分に光束が通過する矩形状の開口部１１２が形成されている。また、収容枠本体１１１の４つのコーナ部には、円形の貫通孔となる調整用孔１１３が各々形成されている。また、左右（Ｘ方向）の側面部には、後述する押え板１１７の係合片１１８と係合する断面楔状の突起１１４が各々形成されている。また、収容枠本体１１１の上部側面部には、液晶パネル５４１（５４１Ｒ）を駆動するために、メイン基板９０（図７参照）からの駆動信号を伝達するケーブル６０を案内するための切欠部１１５が形成されている。
【００６９】
また、収容枠本体１１１は、熱伝導率の高いアルミニウム合金で形成されている。なお、アルミニウム合金の他、熱伝導率の高いマグネシウム合金などの金属材料や、熱伝導率の高い合成樹脂で形成しても良い。このような材料で形成されることにより、液晶パネル５４１での発熱に対して放熱効率を向上させることができる。
【００７０】
押え板１１７は、図示は省略する概略矩形状の平板部材で形成され、４つのコーナ部を切り欠かいた形状となっている。また左右（Ｘ方向）の端面部には、収容枠本体１１１に形成される突起１１４と係合するための係合片１１８が略垂直に屈曲されて各々形成されている。
【００７１】
以上のように形成された収容枠本体１１１に液晶パネル５４１（５４１Ｒ）を収容する。その際、ケーブル６０は、切欠部１１５に案内されるように収容する。そして、後方から押え板１１７の係合片１１８を突起１１４に係合させることにより、液晶パネル５４１（５４１Ｒ）が液晶パネル収容枠１１０に収容されて固定される。
【００７２】
液晶パネル固定枠１２０は、矩形状の平板形状を有する固定枠本体１２１を有し、この固定枠本体１２１に光束が通過する矩形状の開口部１２２が形成されている。また、開口部１２２の左右（Ｘ方向）の縁辺には、光束の入射方向に立設し、先端が左右の外周方向に曲折した射出側偏光板固定部１２３が一対形成されている。また、固定枠本体１２１の４つのコーナ部には各々、円柱形状を有する固定用ピン１２４が光束の入射方向に突接して設けられている。この固定用ピン１２４は、液晶パネル収容枠１１０に形成する調整用孔１１３と嵌合するように配設される。なお、液晶パネル固定枠１２０は、熱伝導率の低いプラスチック部材で形成されており、液晶パネル５４１（５４１Ｒ）で発生する熱が液晶パネル固定枠１２０を介してクロスダイクロイックプリズム５４５に伝熱することを防止している。
【００７３】
射出側偏光板５４３（５４３Ｒ）は、透明な矩形状の基板８０の面に貼付される。また、その基板８０を液晶パネル固定枠１２０の２つの射出側偏光板固定部１２３の面に貼付する。これにより、射出側偏光板５４３（５４３Ｒ）が液晶パネル固定枠１２０に固定される。なお、本実施形態では、基板８０として、熱伝導率の高いサファイア基板を用いている。なお、サファイア基板の他に水晶基板を用いても良い。
【００７４】
プリズム固定板１３０は、矩形状の板状に形成されるプリズム固定部１３１と、プリズム固定部１３１の底面側に平面が略Ｈ字形状に形成される光学装置固定部１３２とを有して構成されている。なお、光学装置固定部１３２の四方に伸びる部分が固定用脚部１３３を形成し、その固定用脚部１３３により囲まれて形成される部分が、送風用開口部１３５となる。この送風用開口部１３５は液晶パネル５４１Ｒ，５４１Ｂの下方に位置するように形成されている。なお、固定用脚部１３３に囲まれず液晶パネル５４１Ｇの下方に位置する光学装置固定部１３２の領域にも送風用開口部１３５が形成される。
【００７５】
また、固定用脚部１３３の端部近辺には、光学装置１００を光学素子用筐体５５を構成する下収容枠体５５Ｂに固定するための固定用孔１３４が各々形成される。なお、プリズム固定板１３０は、プラスチック部材で形成されている。このように構成されるプリズム固定板１３０のプリズム固定部１３１の上面に、クロスダイクロイックプリズム５４５の底面が所定の位置となるように、紫外線硬化剤を用いて固定する。
【００７６】
液晶パネル５４１（５４１Ｇ，５４１Ｒ，５４１Ｂ）は光学調整をして、液晶パネル固定枠１２０およびクロスダイクロイックプリズム５４５に固定される。
光学調整とは、各液晶パネル５４１（５４１Ｇ，５４１Ｒ，５４１Ｂ）を構成する画素に対して、対応する画素同士を一致させるアライメントと、投射レンズ３のバックフォーカス面内に各液晶パネル５４１（５４１Ｇ，５４１Ｒ，５４１Ｂ）のフォーカス面（液晶面）を合せ込むバックフォーカス調整をいう。なお、調整には調整用の治具を用いて行なわれる。
【００７７】
最初にＧ光用液晶パネル５４１Ｇの調整を行い、Ｇ光用液晶パネル５４１Ｇを基準として、Ｒ光用液晶パネル５４１ＲおよびＢ光用液晶パネル５４１Ｂの調整を行なう。調整が終了した後、紫外線硬化剤を用いて液晶パネル固定枠１２０およびクロスダイクロイックプリズム５４５に固定する。
以上により、図５に示す光学装置１００が完成する。よって光学装置１００は赤色光、緑色光、青色光を各々変調し、光学像を形成する３つの電気光学装置としての液晶パネル５４１と、３つの電気光学装置を各々収容する電気光学装置収容部としての液晶パネル収容枠１１０と、３つの電気光学装置から射出された各色光を合成する色合成光学素子としてのクロスダイクロイックプリズム５４５と、電気光学装置収容部を保持して色合成光学素子に電気光学装置が所定の位置となるように固定する電気光学装置固定部としての液晶パネル固定枠１２０と、色合成光学素子を固定する色合成光学素子固定部としてのプリズム固定板１３０が一体に構成されたユニットとなる。
【００７８】
図７は、本発明の実施形態に係るプロジェクタの光学装置周辺部の概略断面図である。
なお、図７は、本発明の特徴となる光学装置１００を着脱可能とするプロジェクタ１の断面構造を示しており、光学装置１００が下収容枠体５５Ｂに固定されてプロジェクタ１として組立が完成された状態を示している。また、図７は、Ｇ光用液晶パネル５４１Ｇ側の光学部材の図示を省略している。
図７を参照して、光学装置１００周辺部の構成（構造）を説明する。
【００７９】
以降の説明中で、方向を示す表現として「上」または「下」という言葉を使用するが、「上」とは、図７に図示される図を正常に見た場合に紙面の「上方向」を示し、「下」とは、「上」とは逆に紙面の「下方向」を示すこととする。
【００８０】
光学素子用筐体５５を構成する下収容枠体５５Ｂの光学装置１００が固定される周囲は、開口されて形成されている。そして、開口端となる領域は、プリズム固定板１３０の固定用脚部１３３を案内する光学装置固定案内部５５０Ｂが一段段差を有して形成されている。その光学装置固定案内部５５０Ｂには、固定用脚部１３３の固定用孔１３４に相対する位置に、インサートナット５７が圧入されて固定されている。インサートナット５７は、略円柱形状をなし、外周面はローレット加工され、中心部に所定のピッチでねじ切り加工されて形成されている。光学装置１００を下収容枠体５５Ｂに固定する場合は、光学装置固定案内部５５０Ｂに固定用脚部１３３を下方向から当接させて、固定用ネジ６００を固定用脚部１３３の下方向から固定用孔１３４に挿入してねじ締めすることにより、固定用ネジ６００がインサートナット５７に螺合することにより、固定することができる。
【００８１】
光学素子用筐体５５を構成する上収容枠体５５Ａの光学装置１００が位置する周囲も、下収容枠体５５Ｂと同様に、開口されて形成されている。また、光学装置１００に固定される液晶パネル５４１に対して、ケーブル６０の延びる方向（本実施形態では、液晶パネル５４１の上方向）に位置し、また、光学素子用筐体５５の上方向に位置するメイン基板９０には、３つの液晶パネル５４１Ｒ，５４１Ｇ，５４１Ｂに各々備わるケーブル６０が通り抜けるためのケーブル用孔９１がスリット形状で３つ形成されている。また、各々のケーブル用孔９１が形成されるメイン基板９０の各々の端部の上面には、ケーブル６０と接続するコネクタ９５が各々実装されている。従って、ケーブル６０は、ケーブル用孔９１を下方向から通り抜けさせ（貫通させ）、ケーブル用孔９１から上方向に延び出たケーブル６０の先端部をコネクタ９５に挿入することにより、コネクタ９５と接続され固定される。これにより、メイン基板９０からの画像情報の信号がコネクタ９５およびケーブル６０を介して、各液晶パネル５４１（５４１Ｒ，５４１Ｇ，５４１Ｂ）に伝達される。
【００８２】
また、メイン基板９０に対して、液晶パネル５４１の設置される方向と逆方向（本実施形態では、メイン基板９０の上方向）に位置する第１ケースとしての上ケース２１には、ケーブル６０をコネクタ９５から着脱する場合に必要な開口領域を有する第１開口部２５５が形成されている。
【００８３】
本実施形態では、第１開口部２５５は、矩形状に形成され、しかも、３つのコネクタ９５に囲まれる領域よりも大きい領域となるように形成されている。なお、第１開口部２５５が形成される上ケース２１の端部の全周は、後述するケーブル着脱用蓋３００を案内する蓋案内部２５０が一段窪んで形成されている。
【００８４】
また、蓋案内部２５０の上面となる蓋案内面部２５０Ａには、後述するケーブル着脱用蓋３００に形成する固定用孔３１１に相対する位置に、インサートナット２６０が圧入されて固定されている。なお、インサートナット２６０は、蓋案内部２５０の４つのコーナ部に各１つ設置されている。
【００８５】
また、第１開口部２５５の上方向には、第１開口部２５５を覆い、開閉自在となる第１蓋部材としてのケーブル着脱用蓋３００が設置されている。ケーブル着脱用蓋３００は、矩形状の板形状に形成され、各コーナ部は、一段窪んだ蓋固定部３１０を有して形成されている。また、蓋固定部３１０には、固定用孔３１１が各々形成されている。
【００８６】
ケーブル着脱用蓋３００を上ケース２１の蓋案内部２５０に固定する場合は、ケーブル着脱用蓋３００を蓋案内部２５０の蓋案内面部２５０Ａに上方向から載置して、固定用ネジ６１０を上方向から固定用孔３１１に挿入し、ねじ締めすることにより、固定用ネジ６１０がインサートナット２６０に螺合して、固定することができる。
【００８７】
光学装置１００に固定される液晶パネル５４１に対して、ケーブル６０の延びる方向と逆方向（本実施形態では、液晶パネル５４１の下方向）に位置し、また光学素子用筐体５５の下方向に位置する外装ケース２を構成する第２ケースとしての下ケース２３には、液晶パネル５４１（本実施形態では、光学装置１００）を着脱するのに必要な開口領域を有する第２開口部２８５が形成されている。
【００８８】
本実施形態では、第２開口部２８５は、矩形状に形成され、第２開口部２８５の開口領域が、光学装置１００の平面領域より大きい領域となるように形成されている。なお、第２開口部２８５が形成される下ケース２３の端部の全周は、後述する電気光学装置着脱用蓋４００を案内する蓋案内部２８０が一段窪んで形成されている。
【００８９】
また、蓋案内部２８０の下面となる蓋案内面部２８０Ａには、後述する電気光学装置着脱用蓋４００に形成する固定用孔４１１に相対する位置に、インサートナット２９０が圧入されて固定されている。なお、インサートナット２９０は、蓋案内部２８０の４つのコーナ部に各１つ設置されている。
【００９０】
また、第２開口部２８５の下方向には、第２開口部２８５を覆い、開閉自在となる第２蓋部材としての電気光学装置着脱用蓋４００が設置されている。電気光学装置着脱用蓋４００は、矩形状の板状に形成され、各コーナ部は一段窪んだ蓋固定部４１０を有して形成されている。また、蓋固定部４１０には、固定用孔４１１が各々形成されている。
【００９１】
また、電気光学装置着脱用蓋４００の内面側の略中心には、円柱形状の２つの突起４２０が形成されている。また、突起４２０の上面には、固定用孔４２１が形成されている。なお、固定用孔４２１には、後述する分割ダクト７３０が固定される。
【００９２】
分割ダクト７３０は、流通用ダクト７３の一部を分割して構成されている。なお、流通用ダクト７３は、空気取入口２３１から吸気した空気を、液晶パネル５４１と下ケース２３との空間領域（本実施形態は、光学装置１００を構成するプリズム固定板１３０の下面側となる、プリズム固定板１３０と下ケース２３との空間領域）まで流通して、流通した空気を下方向から上方向に向けて吐出して、光学装置１００を構成する各液晶パネル５４１を冷却するためのダクトである。分割ダクト７３０は、詳細には、この流通用ダクト７３において、プリズム固定板１３０の下面側となる、プリズム固定板１３０と下ケース２３との空間領域に配置され、流通した空気を下方向から上方向に向けて吐出する領域となる流通用ダクト７３の領域部分を分割したものである。
【００９３】
また、分割ダクト７３０は、液晶パネル５４１を着脱するのに必要な領域に対応する流通用ダクト７３の領域部分を分割ダクト７３０として分割して構成している。着脱するのに必要な領域とは、液晶パネル５４１を着脱する際に、液晶パネル５４１が流通用ダクト７３に当接することなく着脱可能となる領域をいう。なお、分割ダクト７３０の平面サイズは、上述した矩形状をなす第２開口部２８５の平面サイズよりも小さいサイズとなる。
【００９４】
このように分割された分割ダクト７３０は、流路７３１と固定部７３２とを有している。そして、流路７３１は、流路７３１の内部を流通してきた空気を上方向（図中、矢印で示す方向）に吐出する。なお、分割ダクト７３０から吐出された空気は、プリズム固定板１３０に形成された送風用開口部１３５を通過して、各液晶パネル５４１Ｒ，５４１Ｇ，５４１Ｂおよび各射出側偏光板５４３Ｒ，５４３Ｇ，５４３Ｂに送風される。なお、固定部７３２には、上述した電気光学装置着脱用蓋４００に形成した固定用孔４２１に相対する位置に固定用孔７３３が形成されている。
【００９５】
分割ダクト７３０は、電気光学装置着脱用蓋４００に形成した突起４２０の上面に載置し、固定用ネジ６３０を固定用孔７３３に挿入し、固定用ネジ６３０を回転させて、固定用孔４２１の内面をねじ切っていくことにより、電気光学装置着脱用蓋４００に固定される。
【００９６】
なお、分割ダクト７３０を固定した電気光学装置着脱用蓋４００を、下ケース２３の蓋案内部２８０に固定する場合は、電気光学装置着脱用蓋４００を蓋案内部２８０の蓋案内面部２８０Ａに当接させ、固定用ネジ６２０を下方向から固定用孔４１１に挿入し、ねじ締めすることにより、固定用ネジ６２０がインサートナット２９０に螺合して、固定することができる。
【００９７】
図８は、光学装置をプロジェクタから取外す場合の説明図である。そして図８（ａ）はケーブル着脱用蓋を取外す図であり、図８（ｂ）はケーブルを取外す図であり、図８（ｃ）は電気光学装置着脱用蓋を取外す図であり、図８（ｄ）は光学装置を取外す図である。
なお、図８は、図７に示す図のように、光学装置１００がプロジェクタ１に取付けられてプロジェクタ１が完成されている状態から、光学装置１００を取り出す場合の図である。また、図８における符号の付記に関して、必要な部分にのみ適宜符号を付記しているが、符号が付記されない部分も同様の部分に関しては同様の符号となる。
図８を参照して、プロジェクタ１から光学装置１００を取外す方法を説明する。
【００９８】
図８（ａ）に示すように、最初に、ドライバなどの治具を用いて固定用ネジ６１０をインサートナット２６０から回転して取外すことにより、ケーブル着脱用蓋３００を上ケース２１から取外す。次に、図８（ｂ）に示すように、第１開口部２５５から指を挿入して３つのコネクタ９５に接続されている各々のケーブル６０を取外す。次に、図８（ｃ）に示すように、固定用ネジ６２０をインサートナット２９０から回転して取外すことにより、電気光学装置着脱用蓋４００を下ケース２３から取外す。これにより、分割ダクト７３０も一緒に取外される。次に、図８（ｄ）に示すように、固定用ネジ６００をインサートナット５７から回転して取外すことにより、光学装置１００を、第２開口部２８５を介して、プロジェクタ１の外部に取り出す。
以上により、プロジェクタ１から光学装置１００を取外すことができる。
【００９９】
また、プロジェクタ１から光学装置１００を取外した後、新しい光学装置１００を取付ける場合には、上記説明したのと逆の作業を行なうことで、プロジェクタ１に取付けることができる。光学装置１００のプロジェクタ１への取付け方を簡単に説明する。
【０１００】
最初に、図８（ｄ）に示すように、交換する光学装置１００を指などで把持して、第２開口部２８５を介して挿入する。その際、ケーブル６０の先端部が、メイン基板９０に形成される３つのケーブル用孔９１を各々貫通させる。そして、プリズム固定板１３０の固定用脚部１３３を下収容枠体５５Ｂの光学装置固定案内部５５０Ｂに当接させる。次に、ドライバなどの治具を用いて、固定用ネジ６００によりインサートナット５７に固定用脚部１３３を固定する。これにより、光学装置１００を下収容枠体５５Ｂに固定することができる。
【０１０１】
次に、図８（ｃ）に示すように、分割ダクト７３０が固定された電気光学装置着脱用蓋４００を下ケース２３の蓋案内面部２８０Ａに当接させ、固定用ネジ６２０により、インサートナット２９０に電気光学装置着脱用蓋４００を固定する。それにより、図８（ｂ）に示すように、電気光学装置着脱用蓋４００が下ケース２３に固定された状態となる。またこの状態において、分割ダクト７３０は、流通用ダクト７３と係合し、流通用ダクト７３から送風される空気を漏らすことなく吐出させることができる。
【０１０２】
次に、図８（ａ）に示すように、メイン基板９０に形成される３つのケーブル用孔９１から、突出して延びているケーブル６０の先端部（導通部）を各々対応するコネクタ９５に挿入して接続する。次に、ケーブル着脱用蓋３００を上ケース２１に形成する蓋案内部２５０の蓋案内面部２５０Ａに載置する。そして、固定用ネジ６１０により、インサートナット２６０にケーブル着脱用蓋３００を固定する。
以上により、光学装置１００を交換して、プロジェクタ１に取付けることができる。
【０１０３】
上述した、実施形態によれば以下の効果が得られる。
（１）本実施形態のプロジェクタ１によれば、液晶パネル５４１を着脱（交換）する場合には、光学装置１００を着脱（交換）することになる。そして、光学装置１００をプロジェクタ１から取外す場合には、最初に、上ケース２１の第１開口部２５５を覆うケーブル着脱用蓋３００を開く、次に、第１開口部２５５から指を挿入し、回路基板としてのメイン基板９０の有するコネクタ９５からケーブル６０を取外す。次に、下ケース２３の第２開口部２８５を覆う電気光学装置着脱用蓋４００を開く、次に、第２開口部２８５から指を挿入し、光学装置１００を取外す。以上により、光学装置１００を取外すことが可能となる。また、新しい光学装置１００に交換する場合には、新しい光学装置１００を前述したのと逆の動作により組立てることで交換でき作業が完了する。従って、従来のようにプロジェクタ全体を分解して、再度、組立てるような大変な作業を必要とせず、簡単な作業により、容易に光学装置１００を交換できる。従って、液晶パネル５４１の交換作業を効率化したプロジェクタ１が実現できる。
【０１０４】
（２）本実施形態の光学装置１００を用いるプロジェクタ１によれば、光学像を形成する３つの液晶パネル５４１Ｒ，５４１Ｇ，５４１Ｂを用いる、いわゆる３板方式のプロジェクタ１である。そして、光学装置１００は、３つの液晶パネル５４１を各々収容する液晶パネル収容枠１１０と、各色光を合成するクロスダイクロイックプリズム５４５と、液晶パネル収容枠１１０を保持してクロスダイクロイックプリズム５４５に液晶パネル収容枠１１０が光学調整を行い所定の位置となるように固定する液晶パネル固定枠１２０と、クロスダイクロイックプリズム５４５を固定するプリズム固定板１３０とを一体に構成するユニットとして光学装置１００が形成される。従って、液晶パネル５４１を着脱（交換）する場合には、光学装置１００を着脱（交換）することで行なわれる。これにより、液晶パネル５４１を含め、液晶パネル５４１の位置調整（光学調整）も行なわれ一体に構成された光学装置１００として着脱（交換）することができる。従って、簡単な作業により、容易に液晶パネル５４１を交換でき、液晶パネル５４１の交換作業を効率化したプロジェクタ１が実現できるだけでなく、光学調整されたプロジェクタ１として実現できる。
【０１０５】
（３）本実施形態のプロジェクタ１によれば、光学系５を構成する光学素子を収容する光学素子用筐体５５を有し、光学装置１００のプリズム固定板１３０は、光学素子用筐体５５に固定される。これにより、光学装置１００を構成する光学素子（液晶パネル５４１、射出側偏光板５４３、クロスダイクロイックプリズム５４５）以外の他の光学素子との素子位置関係を保持する構成とすることができる。従って、画像品質を低下させないプロジェクタ１を実現できる。また、プリズム固定板１３０を固定するための他の部材を、プロジェクタ１の内部に形成する必要がないため、プロジェクタ１の小型化が図れる。
【０１０６】
（４）本実施形態のプロジェクタ１によれば、プリズム固定板１３０と下ケース２３との空間領域（液晶パネル５４１と第２ケースとしての下ケース２３との空間領域）に、設置される流通用ダクト７３に対して、光学装置１００を着脱するのに必要な領域に対応する部分（液晶パネル５４１を着脱するのに必要な領域に対応する部分）を分割ダクト７３０として分割して構成している。また、その分割ダクト７３０は、電気光学装置着脱用蓋４００に固定されている。
これにより、液晶パネル５４１（光学装置１００）の交換の際、電気光学装置着脱用蓋４００を開くことにより、同時に分割ダクト７３０も流通用ダクト７３から取外すことが可能となる。従って、電気光学装置着脱用蓋４００を開いた後に、分割ダクト７３０を取外すという作業（取付けは、これと逆の作業）を省くことができるため、液晶パネル５４１の交換作業を効率化したプロジェクタ１が実現できる。
【０１０７】
（５）本実施形態のプロジェクタ１によれば、プリズム固定板１３０は、分割ダクト７３０から送風される空気を液晶パネル５４１に流通させるための送風用開口部１３５を有している。従って、分割ダクト７３０から送風される空気を遮ることなく液晶パネル５４１に流通させることができる。従って、液晶パネル５４１の冷却が安定して行なわれ、液晶パネル５４１の光学特性を維持することができる。
【０１０８】
なお、本発明は、上述した実施形態に限定されず、種々の変更や改良などを加えることが可能である。変形例を以下に述べる。
【０１０９】
（変形例１）前記実施形態のプロジェクタ１において、分割ダクト７３０は、電気光学装置着脱用蓋４００に固定されているが、必ずしも固定されていなくても良い。その場合には、電気光学装置着脱用蓋４００を取外した後に、流通用ダクト７３に対して、分割ダクト７３０を取外し、第２開口部２８５を介して、プロジェクタ１から外部に出すことができるような領域に、ネジ固定や係合などを利用した分割ダクト７３０の固定機構を設置することで可能となる。
【０１１０】
（変形例２）前記実施形態におけるプロジェクタ１において、液晶パネル５４１は、液晶パネル収容枠１１０に保持固定され、液晶パネル収容枠１１０は液晶パネル固定枠１２０によって、クロスダイクロイックプリズム５４５に固定されている。従って、液晶パネル５４１を交換するには、光学装置１００全体を交換することになる。しかし、液晶パネル５４１は、液晶パネル収容枠１１０に保持固定されるが、液晶パネル収容枠１１０は、液晶パネル固定枠１２０によってクロスダイクロイックプリズム５４５に固定されない構造（液晶パネル収容枠１１０がクロスダイクロイックプリズム５４５または液晶パネル固定枠１２０に対して着脱可能な構造）とすることも可能である。このような構造を採用することにより、光学装置１００を取外した後、液晶パネル５４１（液晶パネル収容枠１１０を含む）を光学装置１００から取外し、新しい液晶パネル５４１（液晶パネル収容枠１１０を含む）に交換する。その後、この新しい液晶パネル５４１を取付けた光学装置１００を、プロジェクタ１に取付けることが可能となる。
このように、光学装置１００において、液晶パネル５４１を着脱可能に固定する構造を採用することにより、光学装置１００を取外した後、液晶パネル５４１のみの交換作業が簡単で容易に行なえる。
【０１１１】
（変形例３）前記実施形態におけるプロジェクタ１は、フロントタイプのプロジェクタ１であるが、リアタイプのプロジェクタとしても適用できる。
【０１１２】
（変形例４）前記実施形態において、光学系５は、光源装置５１１に白色光を射出する単体の光源を用い、この白色光をＲ光、Ｇ光、Ｂ光の３原色の光に分離（分光）している。しかし、これに限らず、Ｒ光、Ｇ光、Ｂ光の３原色にそれぞれ対応した、赤色の光を射出する光源、緑色の光を射出する光源および青色の光を射出する光源の３つの光源を用い、白色光を分離する手段（色分離光学系５２）を取り除いた構成としても良い。
【０１１３】
（変形例５）前記実施形態において、光学系５は、３つの液晶パネル５４１Ｒ，５４１Ｇ，５４１Ｂを用いる、いわゆる３板方式を採用しているが、これに限らず、単板方式を採用しても良い。
【０１１４】
（変形例６）前記実施形態において、光学装置１００は、プリズム固定板１３０の上方向に液晶パネル５４１が位置している。そして、液晶パネル５４１の上方向にコネクタ９５が位置している。しかし、これに限らず、プリズム固定板１３０の下方向に液晶パネル５４１が位置し、そして、液晶パネル５４１の下方向にコネクタ９５が位置していても良い。光学装置１００およびその周辺部が、前記実施形態と逆となった構成、言い換えれば、第１ケースが下ケース２３に対応し、第２ケースが上ケース２１に対応するような構成でも良い。このような場合にも、本発明を適用でき、同様の効果を奏することが可能となる。
【０１１５】
本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材や、構成部材の形状・材質・数量などにおいて、当業者が様々な変形（変更ならびに改良）を加えることができるものである。従って、詳細な構成部材や、構成部材の形状・材質・数量などにおいて、当業者が様々な変形を加えることにより実施する場合も本発明に含まれるものである。
【図面の簡単な説明】
【０１１６】
【図１】本発明の実施形態に係るプロジェクタの上面側から見た概略斜視図。
【図２】プロジェクタの下面側から見た概略斜視図。
【図３】プロジェクタの内部構造を示す斜視図。
【図４】光学ユニットの光学系を模式的に示す図。
【図５】光学装置の概略斜視図。
【図６】光学装置の概略組立図。
【図７】プロジェクタの光学装置周辺部の概略断面図。
【図８】光学装置をプロジェクタから取外す場合の説明図、（ａ）はケーブル着脱用蓋を取外す図、（ｂ）はケーブルを取外す図、（ｃ）は電気光学装置着脱用蓋を取外す図、（ｄ）は光学装置を取外す図。
【符号の説明】
【０１１７】
１…プロジェクタ、２…外装ケース、５…光学系、２１…第１ケースとしての上ケース、２３…第２ケースとしての下ケース、６０…電気光学装置を構成するケーブル、７３…流通用ダクト、９０…回路基板としてのメイン基板、９５…コネクト部を構成するコネクタ、１００…光学装置、１１０…電気光学装置収容部としての液晶パネル収容枠、１２０…電気光学装置固定部としての液晶パネル固定枠、１３０…色合成光学素子固定部としてのプリズム固定板、１３５…送風用開口部、２５５…第１開口部、２８５…第２開口部、３００…第１蓋部材としてのケーブル着脱用蓋、４００…第２蓋部材としての電気光学装置着脱用蓋、５４１…電気光学装置を構成する液晶パネル、５４５…クロスダイクロイックプリズム、７３０…分割ダクト。
【図１】
2008089689.tif 000003
【図２】
2008089689.tif 000004
【図３】
2008089689.tif 000005
【図４】
2008089689.tif 000006
【図５】
2008089689.tif 000007
【図６】
2008089689.tif 000008
【図７】
2008089689.tif 000009
【図８】
2008089689.tif 000010